(57)【要約】【課題】乳がん手術後の患者や敏感な肌の人が着用しても身体への負担が少なく、カップの位置をバストに合わせて自由に調整できるカップ付衣類に用いるためのカップ部材を提供する。【解決手段】カップ部材は、カップ用ポケットとカップ用ポケットに挿入するカップとから構成され、カップ用ポケットは、衣類の前見頃に接する表布と身体側に接する裏布とを、カップ挿入口とする部分を除いて縫合又は接着したものであって、カップ用ポケットの内側には所定の範囲内にカップを掛止させるためのポケット側掛止部材が取り付けてあり、カップは、柔軟性に富み折り曲げても元の形状に復帰可能な材質で作成されたパッドであって、ポケット側掛止部材と掛止可能なカップ側掛止部材が取り付けてあり、カップ用ポケットの周囲のすべてまたは一部を衣類に縫合又は接着することによって衣類に取り付けるようにした。【選択図】図１
2010013774.tif 000002
【特許請求の範囲】
【請求項１】
カップ用ポケットと、カップ用ポケットに挿入するカップとから構成され、
カップ用ポケットは、衣類の前見頃に接する表布と身体側に接する裏布とを、カップ挿入口とする部分を除いて縫合又は接着したものであって、カップ用ポケットの内側には所定の範囲内にカップを掛止させるためのポケット側掛止部材が取り付けてあり、
カップは、柔軟性に富み折り曲げても元の形状に復帰可能な材質で作成されたパッドであって、ポケット側掛止部材と掛止可能なカップ側掛止部材が取り付けてあり、
カップ用ポケットの周囲のすべてまたは一部を衣類に縫合又は接着することによって衣類に取り付けるようにしたカップ部材であって、
カップ側掛止部材のポケット側掛止部材への掛止位置をバストに合わせて所定の範囲内で調整できることを特徴とする、カップ付衣類に用いるためのカップ部材。
【発明の詳細な説明】
【技術分野】
【０００１】
本発明は、ブラジャーを着用する必要のないカップ付衣類に用いるためのカップ部材に関するものである。
【背景技術】
【０００２】
最近では、ブラジャーを着用する必要のないカップ付アンダーウェア、キャミソール・Ｔシャツ・ワンピースなどのカップ付アウターウェア、カップ付の部屋着やパジャマなどが数多く販売されるようになってきている。このようなカップ付の衣類は、ブラジャーを着用する必要がないという点では共通するが、機能的には大きく分けて２つのタイプがある。
【０００３】
第１のタイプは、ブラジャーを着用しないので衣類着用の際の手間やもたつきを軽減し、
胸や肩の部分の開きが大きい衣類であってもブラジャーの肩ひものはみ出しを心配しないでよいという利点がありながら、ブラジャーを着用している場合と同様にバストの形を整えすっきり美しく見せようとすることを目的としたものである。この場合は、バスト部分の整形機能が重要であるから、カップ下を伸縮性のある材質で作成してカップ部分がバスト部分にぴったり沿うようにしてあるので、ブラジャーを着用するよりは楽かもしれないが、身体に対する締め付けはある程度その機能上欠かせないものとなる。（なお、ここで「カップ」とは、バストを覆うパッド状のものを広く指す）。
【０００４】
第２のタイプは、入院中や乳がんの手術後や家庭での休息中に、急に人と会わなければならない場合やちょっとした外出が必要になった場合に、ブラジャーを着用しなくてもそのまま対応できるパジャマや部屋着を提供するということを主な目的としたものであって、この場合は、締め付けなどの身体への負担が少なく着用していて楽であるという点が重要になる。
【０００５】
こうしたカップ付衣類には、カップが衣類に固定されているものや、カップを挿入するポケット状の部位が衣類に設けられておりカップを出し入れ可能なものなどがあり、たとえば、下記の特許文献１〜特許文献５に記載されている。これらの文献のうち、特許文献１、特許文献２及び特許文献４には、カップを挿入するタイプの衣類が開示されている。
【０００６】
ところで、特許文献１〜特許文献５に記載されているカップ付衣類では、カップあるいはカップを挿入する部位が衣類に固定されているため、カップの位置が着用する人のバストにフィットしない場合にその位置を調整する手段がない。現在販売されているカップ付衣類でも、キャミソールタイプのようにアジャスターでストラップの長さを調整できるものについては、バストの位置にカップを合わせることが出来るが、Ｔシャツやランニングのようにアジャスターなどの調整手段がなくカップ自体やカップを挿入する部位が衣類に固定されているタイプのものでは、通常ＭとＬなどおおまかなサイズ別でしか販売されていないため、カップ位置が自分のバストの位置に必ずしもフィットしていなくても妥協して着用せざるを得ないという問題があった。また、カップを挿入するタイプの衣類では、カップが挿入されるポケットの内部でカップが移動してしまうという問題もあった。
【０００７】
一方、特許文献６ではカップを胸部サイズに調整する手段が、特許文献７ではカップを胸部形状の位置に上下左右調整する手段が、それぞれ開示されている。しかしながら、特許文献６による調整手段は、ブラジャーからストラップ部分を取り除いたような形状のカップの取り付けボタン及び掛け合い部を衣類の肩及び脇部分に設け、カップ自体を交換出来るようにしたものであり、ブラジャー形状のカップなので身体への締め付けが比較的強く、乳がん手術後の患者や肌の弱い人には不向きであり、カップの位置の微妙な調整もむずかしい。また、特許文献７による調整手段は、カップの高さ等を調整するストラップ及びバックストラップ状の調整ベルトと、横幅を調整するためのバック調整ベルト等を組み合わせたものにカップを取り付けるなど非常に複雑な構成をしており、製作するにも着用するにも困難が伴うことが予想される。
【特許文献１】特開平１０−３７００３号公報
【特許文献２】特開平１１−１７２５０３号公報
【特許文献３】特開２０００−１４４５０３号公報
【特許文献４】特開２００１−３１６９０７号公報
【特許文献５】特開２００３−１２９３０３号公報
【特許文献６】特開２００２−３８３０８号公報
【特許文献７】特開２００４−３１５９７８号公報
【発明の開示】
【発明が解決しようとする課題】
【０００８】
本願発明は、主として上述した第２のタイプのカップ付衣類について、従来技術における問題点を考慮し、以下に記載する課題を解決しようとするものである。
（１）カップの位置をバストに合わせて自由に調整できる、カップ付衣類を提供する。
（２）カップの位置を調整する手段は、なるべくシンプルで製作コストがかからない構成であること。
（３）カップの位置を調整する手段は、様々な形態の衣類、特に前開きの衣類にも適用可能であること。
（４）カップ付衣類の着用が容易であり、カップ位置の調整も容易であること。
（５）肌ざわりがよく、締め付けが少ないなど、乳がん手術後の患者や敏感な肌の人が着用しても身体への負担が少ないこと。
【課題を解決するための手段】
【０００９】
本発明による、カップ付き衣類に用いるためのカップ部材は、カップ用ポケットと、カップ用ポケットに挿入するカップとから構成されている。カップ用ポケットは、衣類の前見頃に接する表布と身体側に接する裏布とを、カップ挿入口とする部分を除いて縫合又は接着したものであって、カップ用ポケットの内側には所定の範囲内にカップを掛止させるためのポケット側掛止部材が取り付けてある。カップは、柔軟性に富み折り曲げても元の形状に復帰可能な材質で作成されたパッドであって、ポケット側掛止部材と掛止可能なカップ側掛止部材が取り付けてある。このカップ部材は、カップ用ポケットの周囲のすべてまたは一部を衣類に縫合又は接着することによって衣類に取り付けるようにしたものであり、カップ側掛止部材のポケット側掛止部材への掛止位置をバストに合わせて所定の範囲内で調整できることを特徴とする。
【発明の効果】
【００１０】
本発明によるカップ部材を衣類に取り付けることによって、カップの位置をバストに合わせて自由に調整できるカップ付衣類の提供が可能となる。このカップ部材は、様々な形態の衣類、特に前開きの衣類にも適用可能であり、制作コストも比較的安価である。カップは必要に応じて取り外しが出来、取り外しも簡単である。また、このカップ部材を用いたカップ付衣類は、カップの位置を簡単に調整できる一方、バストの下部を締め付けることがないので、身体への負担が少なく、病人や乳がん手術後の患者であっても抵抗なく着用できる。
【発明を実施するための最良の形態】
【００１１】
まず、図１を用いて、本発明によるカップ付衣類に用いるカップ部材（以下「カップ部材」という）の基本的な構成について説明する。図１は、カップ部材を模式的に示した図であり、左胸用のカップ部材を身体側から見た図である。
【００１２】
本発明によるカップ部材は、衣類の前身頃の裏側（身体側）に縫合してカップ部位を形成するための部材であり、カップ用ポケット１と、カップ用ポケットに挿入するカップ２（矢印Ａ参照）とから構成されている。
【００１３】
カップ用ポケット１は、前見頃に接する表布１１と、身体側に接する裏布１２とを縫合してポケット状としたものであって、上下左右のいずれかの辺にカップを挿入するためのカップ挿入口１５が設けられている。図１において、二点鎖線で示しているのはカップ用ポケット１の縫合部であり、図１に示したカップ用ポケット１では、カップ挿入口１５は縫合しない部分を残すことによって上辺１ａに設けられているが、カップ部材を取り付ける衣服のデザインや種類等により、挿入口１５は上下左右のいずれの辺に設けてもよく、複数の挿入口を設けてもよい。その点については後述する実施例で具体的に説明する。
【００１４】
カップ用ポケット１を形成するために縫合する表布１１と裏布１２とは、互いに同一の形状である必要はなく、カップ部材を取り付ける衣服のデザインや種類に合わせて様々なヴァリエーションが考えられる。その点についても、後述する実施例において具体的に説明する。
【００１５】
カップ用ポケット１の内側には、裏布１２上にカップ２を掛止するためのポケット側掛止部材１３が取り付けられている。このポケット側掛止部材１３は、図１に示した例では、上下左右のある程度の幅の範囲でカップ２の掛止位置を調整できるように、一定の幅と長さ（例えば、幅１０〜６０ｍｍ、長さ２０〜８０ｍｍ）を有する面ファスナーを採用しているが、一定の範囲内に複数の留め具（スナップ、ホックなど）を取り付けるようにしてもよい。また、カップ２が挿入されるカップ用ポケット１の内部は、カップ２をその中心に挿入した場合に少なくともその周囲１０〜３０ｍｍ程度は移動可能な余裕を持たせた大きさに形成されている。
【００１６】
カップ用ポケット１の裏布１２は、直接身体に触れる部分となるので、肌ざわりの良い材質、例えば、綿、シルク、ポリエステル、レーヨンなどの材質が適しており、特にガーゼなどの綿製ニット生地が適している。一方、カップ用ポケットの表布１１は、衣類の内側でカップの膨らみを覆うものであり、衣類の表面がごろついたりもたついたりしないように、ある程度の伸縮性に富み薄い材質、たとえばガーゼなどの綿製ニット生地やナイロン、ポリエステルの生地が適しており、また、薄い色の衣類であってもカップ部材が表面に透けにくい色、たとえば肌色の材質が適している。
【００１７】
カップ２として、例えば、ポリウレタンなどの発泡性合成樹脂体で厚さが０．５〜２ｍｍ程度の材質で作成された中心を膨らませた円状又は略三角形状のパッド、あるいは楕円状又は略三角形状に形成した袋に詰め物をして中心を膨らませた形状のパッドが用いられる。いずれも、柔軟性に富み、折り曲げても元の形状に復帰可能な材質で作成されている。また、このようなカップ２であれば、着用した場合に、身体への当たりがソフトで身体への負担が少ない。カップ用ポケット１の挿入口１５が比較的小さく形成されていたとしても、カップ２がこのような材質であれば、容易に折り曲げて挿入することが出来るので、出し入れが簡単である。
【００１８】
カップ２の裏側（すなわち、パッドの凹部）には、カップ用ポケット１内側の裏布上１２に設けられたポケット側掛止部材１３と掛止可能なカップ側掛止部材２１（図１に示す例では面ファスナー）が取り付けられている。このカップ側掛止部材２１の大きさは、ポケット側掛止部材１３に確実に掛止出来るような大きさであればよいので、面ファスナーであれば、１０〜５０ｍｍ四方程度の大きさであれば十分である。図１に示すカップ２に取り付けられたカップ側掛止部材２１は、カップ２の上部に取り付けられているが、カップ側掛止部材２１の取り付け位置は、衣類の形状やカップ挿入口の設けられた部位などを考慮して、掛止する位置を調整しやすいような位置であればよく、必ずしもカップ２の上部とは限らない。
【００１９】
なお、ポケット側掛止部材１３は、カップ側掛止部材２１が複数設けられた留め具である場合、これらの留め具に掛止可能な留め具を１つ取り付ければよい。カップ用ポケット１の裏布１２上に取り付けられたポケット側掛止部材１３は、面ファスナーであれば一定の幅と長さを有しており、留め具であれば複数設けられているので、カップ側掛止部材２１をポケット側掛止部材１３の所望の位置に掛止することにより、カップ２の位置をバストに合わせて調整することが容易に出来る。
【００２０】
ここで、図１に示した実施の形態において、ポケット側掛止部材１３を裏布１２の身体側に取り付け、カップ側掛止部材２１をカップ２の裏側（身体側）に取り付けたのは、衣類を着用した場合にポケット側掛止部材１３やカップ側掛止部材２１が衣類３を表から見た場合に目立たないようにするためである。図２は、カップ２を挿入した状態のカップ用ポケット１の挿入口１５の中心を縦方向に切断して身体の脇方向からみた断面を示したものである。しかしながら、衣類やカップ部材の形態や材質により、ポケット側掛止部材１３を表布１１の身体側に取り付け、カップ側掛止部材２１をカップ２の表側（表布１１側）に取り付けることも可能である。
【００２１】
上記したカップ部材の構成は、一見非常にシンプルであって、発想も容易のように思われるかもしれないが、カップ付衣類の企画・販売に相当の経験を積んできた発明者が知る限り、カップの位置自体を簡単に調整できるような製品は今までになかったものである。さらに、病人用のパジャマや部屋着は前開きであることが望ましいが、発明者が知る限り、発明者による製品以外にカップ付の前開きパジャマや部屋着は今まで提供されていなかったものである。背景技術の欄で説明した第１のタイプのカップ付衣類の場合は、カップ部分をバスト部分にぴったり沿うように作成されているものなので、どちらかといえば、カップの位置をバスト位置に調整するよりは、むしろ自分の体形にフィットするカップ付衣類を選択する方が重要かもしれない。一方、第２のタイプのカップ付衣類であるパジャマや部屋着等は、もともとゆとりを持たせて作製されており、さらにバスト下部を締め付けないようにするため、カップをバスト下で伸縮部材等により支持することができない。従って、第２のタイプのカップ付衣類では、カップの位置を自分の体に合わせて調整出来ることがより求められるものである。そして、このようなカップの位置の微妙な調整は、上記のようなシンプルな構成によってこそ最も効率的に達成できるものであり、さらに制作コストもそれほどかからないということを発明者は見出したのである。また、どの位置に掛止部材を取り付けるかも重要であり、この点についても、発明者の経験が生かされているものである。
【実施例１】
【００２２】
図３及び図４を用いて、実施例１について説明する。図３は、衣類３に実施例１によるカップ部材を取り付ける部位を示す図、図４は、図３に示した衣類３の左の前身頃上部の裏側を示した図である。
【００２３】
図３に示すように、衣類３は、前立て３２を設けた前開きで袖３６のついたパジャマや部屋着あるいはアウターウェアであり、前見頃３４のバストのトップより高い位置に切り替え３１が設けられているのが特徴である。そして、実施例１によるカップ部材は、この切り替え３１を利用して衣類３の裏側に取り付けられる。図３では、カップ部材の取り付け位置を示すために、カップ用ポケット１とカップ用ポケット１に挿入されたカップ２のみが点線で示されている。なお、細かい水玉模様は、衣類３の裏側であることを示している。
【００２４】
図４は、図３で示した衣類３の左の前見頃３４上部の裏側を示している。ここに取り付けられているカップ部材は、図１に示したものと同一のタイプのものである。このカップ部材のカップ用ポケット１は、縦がカップ２の上下に１０〜５０ｍｍ程度の余裕を持たせた長さであって横幅が前見頃の形状に沿って切断された表布１１と、縦が表布１１と同じ長さであり横幅がカップ２の左右に１０〜５０ｍｍ程度の余裕を持たせた長さである略四角形に切断された裏布１２とを、左辺（衣類の中心方向の辺）同士を重ねるようにして裏布１２の形状に沿って縫合したものであり、表布１１と裏布１２との縫合部の上辺１ａの中心部を縫合し残すことにより、カップ２の挿入口１５を設けている。カップ用ポケット１の内側には、裏布１２の中心から上部にかけての部分に横１０〜６０ｍｍ縦２０〜８０ｍｍ程度の面ファスナー１３１が取り付けられている。カップ２の凹側上部には、面ファスナー２１１が取り付けられている。
【００２５】
次に、カップ部材をどのように衣類３に取り付けるかについて説明する。カップ用ポケット１の左辺（身体の中心側）１ｂ部分は、衣類３の前立て３２と一緒に縫合されている。表布１１の上辺１ａは、衣類３の切り替え３１に沿って一緒に縫合されている。表布１１の右辺１ｄは衣類３の前見頃３５と後ろ見頃３４と袖３６の縫合部分に沿って縫合されている。
【００２６】
このように、カップ用ポケット１は、３つの辺が、衣類３の切り替え３１、前立て３２、前見頃３５と後ろ見頃３４と袖３６の縫合部分、に縫合されているために、カップ部材そのものが衣類３にしっかり取り付けられ、着用時にもその位置が不安定になったりずれたりすることがない。また、このように衣類３の切り替え部分あるいは縫合部分を利用して取り付けるので、表から衣類３を見た場合に、カップ部材１のラインが衣類表面に浮き出たりすることがなく、見た目がすっきりしている。また、カップ部材の下辺１ｃは、衣類３とは縫合されず、カップ部材が身体を締め付けることがない。
【実施例２】
【００２７】
図５及び図６を用いて、実施例２について説明する。図５は、衣類４に実施例２によるカップ部材を取り付ける部位を示す図、図６は、図５に示した衣類４の左の前身頃上部の裏側を示した図である。
【００２８】
図５に示すように、衣類４は、前立て４２を設けた前開きで袖４６がついたパジャマや部屋着あるいはアウターウェアであり、前見頃４４のバストより低い位置に切り替え４１が設けられているのが特徴である。そして、実施例２によるカップ部材は、この切り替え４１を利用して衣類４の裏側に取り付けられる。図４では、カップ部材の取り付け位置を示すために、カップ用ポケット５とカップ用ポケット５に挿入されたカップ２のみが点線で示されている。なお、細かい水玉模様は、衣類５の裏側であることを示している。
【００２９】
図６は、図５で示した衣類４の左の前見頃４４上部の裏側を示している。ここに取り付けられているカップ用ポケット５は、切り替え４１より上部の前見頃４４の形状に沿って上辺５ａ・右辺５ｄ・左辺５ｂが切断され下辺５ｃはカップ２の左右に１０〜５０ｍｍ程度の余裕を持たせた長さであってさらに右辺５ｄ部分を袖ぐりのカーブの途中から下辺の左端に向かって切り落とした形状の表布５１と、縦がカップ２の上下に１０〜５０ｍｍ程度の余裕を持たせた長さであり、左右は表布５１の形状に沿って切断された裏布５２とを、左辺５ｂ（衣類の中心方向の辺）及び下辺５ｃ同士を重ねるようにして裏布５２の形状に沿って縫合したものであり、裏布５２の右辺５ｄの上部を縫合し残すことにより、カップ２の挿入口５５を設けている。カップ用ポケット５の内側には、裏布５２の中心から上部にかけての部分に横１０〜６０ｍｍ縦２０〜８０ｍｍ程度の面ファスナー５３が取り付けられている。カップ２の凹側上部には、面ファスナー２１が取り付けられている。
【００３０】
次に、実施例２によるカップ部材をどのように衣類４に取り付けるかについて説明する。カップ用ポケット５の左辺５ｂ部分は、衣類４の前立て４２と一緒に縫合されている。表布１１の上辺５ａは、衣類４の前見頃４４の上端と縫合されている。カップ用ポケット５の下辺５ｃは切り替え４１に沿って一緒に縫合されている。表布１１及び裏布の右辺５ｄは袖ぐりのカープの途中までは前見頃と袖との縫合部分に縫合されている。
【００３１】
このように、カップ用ポケット５は、下辺１ｃが切り替え４１、左辺５ｂが前立て４２、上辺５ａが前見頃４４の上端部分、右辺の一部が前見頃４４と袖４６の縫合部分、に縫合されているために、カップ部材そのものが衣類４にしっかり取り付けられ、着用時にもその位置が不安定になったりずれたりすることがない。また、このように衣類４の切り替え部分あるいは縫合部分を利用して取り付けるので、表から衣類４を見た場合に、カップ部材のラインが衣類表面に浮き出たりすることがなく、見た目がすっきりしている。
【実施例３】
【００３２】
実施例３によるカップ部材は、ランニング型の衣類６に取り付けるためのカップ部材である。衣類６は、実施例１または実施例２に示した衣類とは異なり、バストの上部あるいは下部に切り替えが設けられていない。また、前または後に開きが設けられておらず、かぶって着用するタイプの衣類である。
【００３３】
図７は、衣類６の前見頃上部の裏側を示している。ここに取り付けられているカップ用ポケット７は、バストの下部から肩部にかけての前見頃の形状に沿って切断された表布７１と裏布７２とを重ねてその周囲に沿って縫合してあり（図中、縫合部分は２点鎖線で示している）、下辺７ｃの両方のバスト下部にあたる２か所を縫い残すことによって挿入口７５を設けている。肩部分については、必ずしも縫合する必要はない。図７に示した例では、肩部分は縫合していない。また、カップ用ポケット７の中心は縦に縫合され、左右それぞれのカップ２のためのポケットとして仕切っている。
【００３４】
カップ用ポケット７の内側には、裏布７２の挿入口７５の上部にあたる部分に横１０〜６０ｍｍ縦２０〜８０ｍｍ程度の面ファスナー７３１が取り付けられている。カップ２の凹側下部には、横１０〜５０ｍｍ縦１０〜５０ｍｍ程度の面ファスナー２１２が取り付けられている。実施例３では、面ファスナー７３１と面ファスナー２１２とが、丁度十字に交差するように掛止されるので、掛止位置の調整がし易くなっている。
【００３５】
次に、カップ用ポケット７をどのように衣類６に取り付けるかについて説明する。カップ用ポケット７の上辺７ａ、左辺７ｂ、右辺７ｄは、衣類６の前見頃に重ねて縫合される。このように、カップ用ポケット７は、３つの辺が衣類６の前見頃に縫合されているために、カップ部材そのものが衣類６にしっかり取り付けられ、着用時にもその位置が不安定になったりずれたりすることがない。さらに、カップ用ポケット７は、表裏で切り替え部分を有しないので、表から衣類６を見た場合に、カップ部材７のラインが衣類表面に浮き出たりすることがなく、見た目がすっきりしている。
【００３６】
なお、実施例３によるカップ部材は、表布７１と裏布７２の形状が同一なので、表布７１と裏布７２とを縫合して作製しなくても、袋状のニットとして編むことによって作製することも可能である。
【実施例４】
【００３７】
図８及び図９を用いて、実施例４について説明する。図８は、衣類８に実施例４によるカップ部材を取り付ける部位を示す図、図９は、図８に示した衣類８の左の前身頃上部の裏側を示した図である。
【００３８】
図８に示すように、衣類８は、前立て８２を設けた前開きで袖８６がついたパジャマや部屋着あるいはアウターウェアで、実施例１または実施例２に記載した衣類と異なり、前見頃８４に切り替えの設けられていないタイプの衣類である。図８では、カップ部材の取り付け位置を示すために、カップ用ポケット９とカップ用ポケット９に挿入されたカップ２のみが点線で示されている。なお、細かい水玉模様は、衣類８の裏側であることを示している。
【００３９】
図９は、図８で示した衣類８の左の前見頃８４上部の裏側を示している。ここに取り付けられているカップ用ポケット９は、前見頃８４のバスト下より上部の形状と同一の形状の表布９１と、縦がカップ２の上下に１０〜６０ｍｍ程度の余裕を持たせた長さであり、左右はカップ２の左右に２０〜８０ｍｍ程度の余裕を持たせた幅を有する略矩形状の裏布５２とを、左辺９ｂ（衣類の中心方向の辺）と下辺９ｃ同士を重ねるようにして縫合したものであり、裏布９２の上辺９ａ及び右辺９ｄの一部を縫合し残すことにより、カップ２の挿入口９６および位置調整口９５を設けている。図９中、２点鎖線は、表布９１と裏布９２との縫合部を表している。カップ用ポケット９の内側には、裏布９２の中心から上部にかけての部分に横１０〜５０ｍｍ縦１０〜５０ｍｍ程度の面ファスナー９３が取り付けられている。カップ２の凹側上部には、面ファスナー２１が取り付けられている。
【００４０】
次に、実施例４によるカップ部材をどのように衣類８に取り付けるかについて説明する。カップ用ポケット９の左辺９ｂ部分は、衣類８の前立て８２と一緒に縫合されている。表布９１は、下辺９ｃを除いて、衣類８の前見頃８４の上部と重ねて縫合されている。
【００４１】
このように、カップ用ポケット９と衣類８の前見頃８４とは、下辺９ｃを除いてすべて前見頃の形状に沿って縫合されるため、カップ部材そのものが衣類８にしっかり取り付けられ、着用時にもその位置が不安定になったりずれたりすることがないばかりでなく、カップ部材を衣類の切り替え部分を利用して縫合している実施例１または実施例２に比べ、身体に対する縫い目の当たりが少なく、見た目もすっきりさせることができる。また、衣類の前見頃に切り替えのないタイプの衣類に適用できる点では、実施例１及び実施例２によるカップ部材に比べて適用できる衣類の範囲が広い。
【００４２】
さらに、実施例４によるカップ部材は、カップ挿入口９６に加えて、位置調整口９５を設けている。他の実施例では、カップ挿入口のみを利用して、カップ２の掛止位置を調整していたが、本実施例では、位置調整口９５から指を入れてカップ２の掛止位置を調整することが可能なので、カップ２を掛止する位置の調整がよりやり易くなっている。
【００４３】
以上で本願発明による実施例の説明を終わるが、本願発明によるカップ部材は、実施例１〜４に示した構成に限定されることはない。実施例１、実施例２及び実施例４では、前開きの衣類についての実施例について記載したが、後開きあるいは開きがなくかぶって着用するタイプの衣類であってバストの上部あるいは下部に切り替えが設けられているデザインであれば、実施例１または実施例２に示したカップ部材を左右対称に配置したカップ部材を取り付けることができるし、実施例４に示しカップ部材を左右対称に配置したカップ部材は、切り替えが設けられていないデザインの衣類にひろく適用できる。また、カップ２の挿入口は、上記した実施例に示した位置に必ずしも設ける必要はなく、カップ部材を取り付ける衣類のデザインやカップ挿入のし易さなどを考慮し、上下左右のいずれの辺に設けてもよい。
【００４４】
さらに、以上述べたカップ部材は、カップ用ポケットとカップとで構成されているが、カップ用ポケットと、カップ用ポケットの裏布に設けた掛止部材に掛止可能なカップ用掛止部材とを組み合わせて提供するようにすれば、ユーザーは好みのカップを選択して掛止部材を取り付けることによって、カップ部材とすることが出来る。
【００４５】
また、以上に記載した実施例では、カップ部材は表布と裏布を縫合して作成し、カップ部材を縫合により衣類に取り付けるようにしている。しかしながら、縫合によらなくても、接着剤あるいは接着テープを用いることにより、表布と裏布とを接着することによりカップ部材を作成し、さらに、接着によりカップ部材を衣類に取り付けることも可能である。
【００４６】
カップ挿入口の形成に関する他の実施例として、カップ挿入口を裏布と表布とを縫合又は接合し残した部分を利用して形成するのではなく、カップ挿入口をあらかじめ裏布のいずれかの位置に形成しておいて、その後表布と裏布とを縫合あるいは接合するようにしてカップ部材を作成してもよい。そうすれば、カップ挿入口は、必ずしも裏布のいずれかの辺に設ける必要はなくなる。
【図面の簡単な説明】
【００４７】
【図１】本発明によるカップ部材を模式的に示した図である。
【図２】図１に示したカップ部材の断面を示した図である。
【図３】実施例１によるカップ部材の衣類への取り付け位置を示した図である。
【図４】実施例１によるカップ部材の形状及び衣類への取り付け状態を示した図である。
【図５】実施例２によるカップ部材の衣類への取り付け位置を示した図である。
【図６】実施例２によるカップ部材の形状及び衣類への取り付け状態を示した図である。
【図７】実施例３によるカップ部材の形状及び衣類への取り付け状態を示した図である。
【図８】実施例４によるカップ部材の衣類への取り付け位置を示した図である。
【図９】実施例４によるカップ部材の形状及び衣類への取り付け状態を示した図である。
【符号の説明】
【００４８】
１、５、７、９  カップ用ポケット
２  カップ
３，４，６、８  衣類
１１、５１、７１、９１  表布
１２、５２、７２、９２  裏布
１３、１３１、５３、９３、７３１  ポケット側掛止部材
２１、２１１、２１２  カップ側掛止部材
【図１】
2010013774.tif 000003
【図２】
2010013774.tif 000004
【図３】
2010013774.tif 000005
【図４】
2010013774.tif 000006
【図５】
2010013774.tif 000007
【図６】
2010013774.tif 000008
【図７】
2010013774.tif 000009
【図８】
2010013774.tif 000010
【図９】
2010013774.tif 000011